(57)【要約】【課題】  アンケート回答等、視聴者による選定基準の入力がされない場合であっても、多重送信されたコマーシャルの中から実際の視聴人数に応じた選定を可能とするコマーシャル選定装置を提供する。【解決手段】  テレビジョン装置１０は、視聴者からの選定基準情報の任意の入力を受付ける入力装置１１と、入力結果を保持するデータ保持部１２と、一定時間毎に視聴人数の検出に関する情報を取得する情報取得装置１３と、情報取得装置１３の取得した情報を解析して視聴人数を特定してデータ保持部１２に保持させる解析装置１４と、データ保持部１２に保持された選定基準に基づき受信したコマーシャルの中から表示するコマーシャルを選定する選定装置１５とを備える。選定装置１５は、視聴者から任意に入力された情報及び解析装置１４により特定した視聴人数で構成されるコマーシャル選定基準情報に応じたコマーシャルの選定を行う。【選択図】      図１
2006352725.tif 000002
【特許請求の範囲】
【請求項１】
コマーシャル選定基準に対応する制御情報の付加された複数のコマーシャルデータを受信し、予め設定されたコマーシャル選定基準情報に基づき、放映対象とするコマーシャルを選定するコマーシャル選定装置であって、
テレビジョン装置の視聴人数を検出する検出装置を備え、
少なくとも前記検出装置の検出した視聴人数を含むコマーシャル選定基準情報と前記コマーシャルデータに付加された前記制御情報とに基づき、前記コマーシャルの選定を行うコマーシャル選定手段を備えることを特徴とするコマーシャル選定装置。
【発明の詳細な説明】
【技術分野】
【０００１】
本発明は、多重放送されたテレビコマーシャルの中から、視聴者にとってより適したテレビコマーシャルを選定する装置に関する。
【背景技術】
【０００２】
近年、テレビのデジタル放送技術が発達し、複数のテレビ番組を同時に放映し、視聴者がよりよいテレビ番組を視聴できるようになった。テレビ番組のコマーシャルも同様に複数のコマーシャルを同時に放映することができることが技術的に可能である。テレビコマーシャルは視聴者の購買欲を刺激するために作成されるが、テレビコマーシャルに取り上げる商品によっては必ずしも万人受けするとは限らない。一方、広告主にとってもより適した視聴者にのみテレビコマーシャルを放映したい局面があることがある。例えば、大家族に２人用の自家用車のコマーシャルを放映するよりも、大人数用の大型車のコマーシャルを放映した方が効果が高い。そのため、大家族には大型車のコマーシャルを、独身用には少人数用の自家用車のコマーシャルを放映した方がより高い購買欲を得る可能性が増える。
この場合、視聴者の性別や年齢、視聴している家族構成などによりテレビコマーシャルを選定することでユーザのニーズに沿ったより良いテレビコマーシャルの放映が可能になると考えられる。このようなテレビコマーシャルの選定を行う装置として、従来、事前にアンケートを実施し、アンケートの回答結果に基づきテレビコマーシャルを選定する手段を備えた構成が公知となっている（例えば、特許文献１公報参照）。
【特許文献１】特開２００１−１１９３１２号公報
【発明の開示】
【発明が解決しようとする課題】
【０００３】
しかし、前記特許文献１に記載の構成では、視聴者からアンケートの回答結果を回収することが必須となるため、アンケートに回答しない視聴者に対してはコマーシャルの選定を行うことができなかった。
また、アンケートの回答結果として家族構成が入力された場合であっても、予め入力された家族構成に関する情報と、実際の視聴者とが異なる場合があった。例えば、家族全員についての家族構成情報が入力された場合においても、家族全員が視聴していることは少なく、実際の視聴者に応じたコマーシャルの適切な選定を行うことができない場合があった。
【０００４】
本発明は前記課題を解決するためのものであり、実際の視聴人数を把握することにより、アンケート回答等、視聴者による選定基準の入力がされない場合であっても、多重送信されたコマーシャルの中から実際の視聴人数に応じた選定を可能とするコマーシャル選定装置を提供することを目的とする。
【課題を解決するための手段】
【０００５】
前記課題を解決するため本発明は、コマーシャル選定基準に対応する制御情報の付加された複数のコマーシャルデータを受信し、予め設定されたコマーシャル選定基準情報に基づき、放映対象とするコマーシャルを選定するコマーシャル選定装置であって、テレビジョン装置の視聴人数を検出する検出装置を備え、少なくとも前記検出装置の検出した視聴人数を含むコマーシャル選定基準情報と前記コマーシャルデータに付加された前記制御情報とに基づき、前記コマーシャルの選定を行うコマーシャル選定手段を備えることを特徴とする。
【発明の効果】
【０００６】
以上の構成により本発明では、視聴者によるコマーシャル選定基準の入力がされない場合であっても、多重送信されたコマーシャルの中から視聴人数に応じたコマーシャルの選定が可能となる。
また、視聴者によるコマーシャル選定基準情報が入力された場合には、実際の視聴人数を考慮したより適切なコマーシャルの選定が可能となる。
【発明を実施するための最良の形態】
【０００７】
以下、本発明の一実施の形態に係るコマーシャル選定装置を備えたテレビジョン装置１０について、図面に基づき説明する。
図１は本発明の一実施の形態に係るコマーシャル選定装置を含むテレビジョン装置の概略構成を示すブロック図である。
図１に示すように、テレビジョン装置１０は、視聴者からの選定基準の任意の入力を受付ける入力装置１１と、入力結果を保持するデータ保持部１２と、一定時間毎に視聴人数の検出に関する情報を取得する情報取得装置１３と、情報取得装置１３の取得した情報を解析して視聴人数を特定してデータ保持部１２に保持させる解析装置１４と、データ保持部１２に保持された選定基準に基づき受信したコマーシャルの中から表示するコマーシャルを選定する選定装置１５と、選定されたコマーシャル等を放映する表示装置１６とを備える。この場合、多重送信されたコマーシャルデータ１７には、コマーシャル本体のデータ１７ａの他に、制御情報１７ｂとして選定基準に対応する情報が付加されているものとする。なお、視聴者に対しては制御情報を除いた情報を放映する。
本実施の形態では、選定装置１５が、視聴者から任意に入力された情報及び解析装置１４により特定した視聴人数を含むコマーシャル選定基準と、コマーシャルデータ１７の制御情報１７ｂとを比較して、コマーシャル選定基準に応じたコマーシャルの選定を行う。この場合、コマーシャル選定基準としては、解析装置１４により特定した視聴人数のみとすることも可能である。解析装置１４としては、例えば、情報取得装置１３が検出したテレビジョン装置１０の視聴者から放射される赤外線に基づき視聴人数を判定する。視聴人数の判定方法としては、例えば、温度３５度から４２度までで範囲が１００平方センチメートル以上の面積を視聴者と判断し、視聴していると思われる人数を把握する。なお、情報取得装置１３としては、赤外線検出装置だけでなく、テレビジョン装置１０の前方の一定範囲に位置する視聴者を検出可能なものであれば、他の装置を用いてもよい。
【０００８】
図２は、データ保持部１２に保持された選定基準のデータ構造の一例を示す図である。
本例では、選定基準として、任意に入力された家族構成情報２０と、解析装置１４により解析した視聴人数情報２１とが保持されている。
家族構成情報２０としては、例えば、各家族構成員の性別２０ａと、年齢２０ｂとが含まれる。
【０００９】
図３は、本実施の形態に係る選定装置の選定対象となるコマーシャルデータのデータ構造の一例を示す図である。
本例のコマーシャルデータ３０は、コマーシャル本体３１のデータに付加される制御情報として、１０歳未満，、１０台、２０台、３０台、４０台、５０台、６０台等の年齢情報３２，男性及び女性の性別情報３３，１人向け用、２人向け用、３〜４人向け用、５〜６人向け用、７人以上用等の視聴人数情報３４等を有し、各情報毎に「適切」「許容」「拒否」の評価データを保持している。
【００１０】
図４は、本実施の形態に係るコマーシャル選定装置が行うコマーシャル選定処理手順を示すフローチャートである。
予め選定装置は、受信したデータについて制御情報が付加されているコマーシャルデータ毎にプリオリティカウンタを保持する。
まず、データ保持部から選定基準情報を取得する(ステップ４０１)。
全てのコマーシャルデータについて、ステップ４０３〜４１４の放映候補判定処理を行う（ステップ４０２）。
放映候補判定処理では、まず、現在の視聴人数がコマーシャルデータの評価対象となるか否かを判定する（ステップ４０３）。ここで、評価対象か否かは、視聴人数に対応する選定項目の評価データが「適切」又は「許容」であるか否かで判定する。
評価データが「適切」の場合は２ポイント、「許容」の場合は１ポイントをプライオリティカウンタに加算する（ステップ４０４）。一方、評価データが「拒否」の場合にはポイントの加算を行わない。
次に家族構成情報が登録されているか否かを判定し（ステップ４０５）、家族構成情報が登録されていない場合には、視聴人数及び視聴時刻，曜日から性別，年齢を推測する（ステップ４０６）。
登録された家族情報に含まれる全ての構成員情報又は推測情報について、性別，年代に対応する選定項目の評価データを取得し、「適切」の場合２ポイント、「許容」の場合１ポイントをプライオリティカウンタに加算する（ステップ４０５〜４０９）。
以上の処理によりポイントの加算されたプライオリティカウンタ値を、放映候補として設定されているコマーシャルデータのプライオリティカウンタ値と比較し（ステップ４１２）、放映候補よりもカウンタ値が高い場合には放映候補として設定する（ステップ４１３）。
一方、放映候補よりもカウンタ値が低い場合にはコマーシャルデータを破棄する（ステップ４１４）。
以上の処理を全てのコマーシャルデータについて行い、最終的に放映候補として設定されたコマーシャルデータのコマーシャルを放映対象として選定する。
【００１１】
なお、前記実施の形態では、視聴人数情報と、家族構成情報とを別個のものとして、それぞれについて制御情報との比較を行うこととしているが、視聴人数情報と家族構成情報とを関連付けることとしてもよい。例えば、解析装置の特定した視聴人数及び視聴曜日・時刻に基づき、予め入力された家族構成情報の中から現在の視聴者（性別，年齢等）を推測して選定基準情報として用いることとしてもよい。例えば、平日の昼の１２：００で視聴人数が１人の場合には、家族構成情報の中で、主婦層に相当する性別（女），年齢（２０代〜）の構成員の情報を抽出して選定基準としてもよい。
また、家族構成情報が入力されていない場合には、一定期間（例えば、一週間）の間に特定した視聴人数の最大値を家族構成人数として、選定基準情報に含めることとしてもよい。これにより、視聴者による家族構成情報の入力がされていない場合においても、家族構成人数等を推測することが可能となり、この推測結果に基づくコマーシャルの選定を行うことが可能となる。
【図面の簡単な説明】
【００１２】
【図１】本発明の一実施の形態に係るコマーシャル選定装置を備えたテレビジョン装置の概略構成を示すブロック図である。
【図２】データ保持部に保持される選定基準情報のデータ構造の一例を示す図である。
【図３】制御情報の付加されたコマーシャルデータのデータ構造の一例を示す図である。
【図４】コマーシャル選定処理手順を示すフローチャートである。
【符号の説明】
【００１３】
１０  テレビジョン装置、１１  入力装置、１２  データ保持部、１３  情報取得装置、１４  解析装置、１５  選定装置、１６  表示装置、１７  コマーシャルデータ、１７ａ  制御情報。
【図１】
2006352725.tif 000003
【図２】
2006352725.tif 000004
【図３】
2006352725.tif 000005
【図４】
2006352725.tif 000006